(57)【要約】  複数の送受信装置（ＴＲＵ）間で動的リンク選択（ＤＬＳ）を実行するための方法および装置。第１のＴＲＵは、第２のＴＲＵがＤＬＳ機能を持つインターフェースを複数有しているか否かを判定する。第２のＴＲＵがＤＬＳ機能を持つインターフェースを複数有している場合に、第１のＴＲＵは第２のＴＲＵに選択されたリンクを介してパケットを送信する。第１のＴＲＵは第２のＴＲＵからレポートを受信し、そのレポートに基づいて当該リンクの品質を評価する。第１のＴＲＵは、予め定められた基準および当該リンクの品質にしたがって新しいパケットのためのリンクを選択する。第２のＴＲＵがＤＬＳ機能を持つインターフェースを複数有していない場合に、第１のＴＲＵは利用可能な全てのリンクを介してプローブパケットを第２のＴＲＵに周期的に送信する。第２のＴＲＵは応答パケットを送信し、第１のＴＲＵはその応答パケットの統計値に基づいてリンクの品質を評価する。
2008535385.tif 000002
【特許請求の範囲】
【請求項１】
第１の送受信装置（ＴＲＵ）および第２のＴＲＵを含む通信システムにおいて、前記第１のＴＲＵおよび前記第２のＴＲＵの間の通信を確立するために使用されるリンクを選択する方法であって、
前記方法は、
前記第２のＴＲＵが動的リンク選択（ＤＬＳ）機能を持つ複数のインターフェースを有するか否かを前記第１のＴＲＵが判別するステップと、
前記第２のＴＲＵが前記ＤＬＳ機能を持つ複数のインターフェースを有する場合に、前記第１のＴＲＵが、前記第１のＴＲＵおよび前記第２のＴＲＵが相互に通信することが可能な選択されたリンクを介して前記第２のＴＲＵに対してパケットを送信して、前記第２のＴＲＵからレポートを受信するステップと、
前記第１のＴＲＵが前記レポートに基づいてリンクを選択するステップと
を備えることを特徴とする方法。
【請求項２】
前記第２のＴＲＵからの前記レポートは、リンク品質情報を含むことを特徴とする請求項１に記載の方法。
【請求項３】
前記リンク品質情報は、ビット誤り率、パケット誤り率、信号対雑音比、受信信号強度インジケータ、スループット、および前記第１のＴＲＵによって送信されるパケットの遅延時間のうちの少なくとも１つを含むことを特徴とする請求項２に記載の方法。
【請求項４】
前記第２のＴＲＵが前記レポートに推奨されるリンクを含むことにより、前記第１のＴＲＵは前記推奨されたリンクを選択することができることを特徴とする請求項１に記載の方法。
【請求項５】
前記第２のＴＲＵが前記ＤＬＳ機能を持つ複数のインターフェースを有しない場合に、
第１のＴＲＵが利用可能なすべてのリンクを介して前記第２のＴＲＵに対してプローブパケットを周期的に送信するステップと、
前記第２のＴＲＵが前記プローブパケットに応答して応答パケットを送信するステップと、
前記第１のＴＲＵが前記応答パケットの統計値に基づいてリンク品質を評価するステップと
を備えることを特徴とする請求項１に記載の方法。
【請求項６】
前記応答パケットの統計値は、ビット誤り率、パケット誤り率、信号対雑音比、受信信号強度インジケータ、スループット、および前記応答パケットの遅延時間のうちの少なくとも１つを含むことを特徴とする請求項５に記載の方法。
【請求項７】
予め定められた基準は、サービス品質（ＱｏＳ）、リソース可用性、コスト、およびセキュリティのうちの少なくとも１つを含むことを特徴とする請求項１に記載の方法。
【請求項８】
前記第１のＴＲＵは、前記予め定められた基準を使用して最良のリンクを選択する結合された測定基準を生成することを特徴とする請求項７に記載の方法。
【請求項９】
前記第１のＴＲＵがリンク信頼性が新しいパケットにとって重要であるか否かを判別するステップをさらに備え、
前記リンク信頼性が前記新しいパケットにとって重要でない場合に、前記第１のＴＲＵがリソース節約に基づいてリンクを選択し、
前記リンク信頼性が前記新しいパケットにとって重要である場合に、前記第１のＴＲＵがＱｏＳに基づいてリンクを選択することを特徴とする請求項７に記載の方法。
【請求項１０】
リンクを動的に選択する送受信装置（ＴＲＵ）であって、
複数の物理層および媒体アクセス制御（ＭＡＣ）層のセットであって、物理層およびＭＡＣ層のセットのそれぞれが異なる通信プロトコルのもとでインターフェースをサポートするセットと、
他のＴＲＵが動的リンク選択（ＤＬＳ）機能を持つ複数のインターフェースを有するか否かを判別するように構成されたＤＬＳ層であって、他のＴＲＵが前記ＤＬＳ機能を持つ複数のインターフェースを有する場合に、前記ＤＬＳ層が、選択されたリンクを介して他のＴＲＵに対してパケットを送信し、他のＴＲＵによって送信されるレポートおよび予め定められた基準に基づいて新しいパケットのためのリンクを選択するＤＬＳ層と
を備えたことを特徴とするＴＲＵ。
【請求項１１】
前記レポートはリンク品質情報を含むことを特徴とする請求項１０に記載のＴＲＵ。
【請求項１２】
前記リンク品質情報は、ビット誤り率、パケット誤り率、信号対雑音比、受信信号強度インジケータ、スループット、およびパケットの遅延時間のうちの少なくとも１つを含むことを特徴とする請求項１１に記載のＴＲＵ。
【請求項１３】
前記ＤＬＳ層は、前記レポートにおける他のＴＲＵによって送信される推奨されるリンクを受け入れることが可能なことを特徴とする請求項１０に記載のＴＲＵ。
【請求項１４】
他のＴＲＵが前記ＤＬＳ機能を持つ複数のインターフェースを有しない場合に、前記ＤＬＳ層は、利用可能なすべてのリンクを介して他のＴＲＵに対してプローブパケットを送信し、前記プローブパケットに応答して他のＴＲＵによって送信される応答パケットの統計値に基づいてリンク品質を評価することを特徴とする請求項１０に記載のＴＲＵ。
【請求項１５】
前記応答パケットの統計値は、ビット誤り率、パケット誤り率、信号対雑音比、受信信号強度インジケータ、および前記応答パケットの遅延時間のうちの少なくとも１つを含むことを特徴とする請求項１４に記載のＴＲＵ。
【請求項１６】
前記予め定められた基準は、サービス品質（ＱｏＳ）、リソース可用性、コスト、およびセキュリティのうちの少なくとも１つを含むことを特徴とする請求項１０に記載のＴＲＵ。
【請求項１７】
前記ＤＬＳ層は、前記予め定められた基準を使用してリンクを選択する結合された測定基準を生成することを特徴とする請求項１６に記載のＴＲＵ。
【請求項１８】
前記ＤＬＳ層がリンク信頼性が新しいパケットにとって重要であるか否かを判別し、
前記リンク信頼性が前記新しいパケットにとって重要でない場合に、前記ＤＬＳ層がリソース節約に基づいてリンクを選択し、
前記リンク信頼性が前記新しいパケットにとって重要である場合に、前記ＤＬＳ層がＱｏＳに基づいてリンクを選択することを特徴とする請求項１６に記載の方法。
【請求項１９】
複数の送受信装置（ＴＲＵ）を備え、動的リンク選択をサポートする通信システムであって、
少なくとも１つのＴＲＵが、
複数の物理層および媒体アクセス制御（ＭＡＣ）層のセットであって、物理層およびＭＡＣ層のそれぞれが、異なる通信プロトコルのもとでインターフェースをサポートするセットと、
他のＴＲＵが動的リンク選択（ＤＬＳ）機能を持つ複数のインターフェースを有するか否かを判別するように構成されたＤＬＳ層であって、他のＴＲＵが前記ＤＬＳ機能を持つ複数のインターフェースを有する場合に、前記ＤＬＳ層が、選択されたリンクを介して他のＴＲＵにパケットを送信し、他のＴＲＵによって送信されるレポートおよび予め定められた基準に基づいて新しいパケットのためのリンクを選択するＤＬＳ層と
を備えたことを特徴とするシステム。
【請求項２０】
前記レポートはリンク品質情報を含むことを特徴とする請求項１９に記載のシステム。
【請求項２１】
前記リンク品質情報は、ビット誤り率、パケット誤り率、信号対雑音比、受信信号強度インジケータ、およびパケットの遅延時間のうちの少なくとも１つを含むことを特徴とする請求項２０に記載のシステム。
【請求項２２】
前記ＴＲＵのＤＬＳ層は、前記レポートにおける他のＴＲＵによって送信される推奨されるリンクを受け入れることが可能なことを特徴とする請求項１９に記載のシステム。
【請求項２３】
他のＴＲＵが前記ＤＬＳ機能を持つ複数のインターフェースを有しない場合に、前記ＤＬＳ層は、利用可能なすべてのリンクを介して他のＴＲＵに対してプローブパケットを送信し、前記プローブパケットに応答して他のＴＲＵによって送信される応答パケットの統計値に基づいてリンク品質を評価することを特徴とする請求項１９に記載のシステム。
【請求項２４】
前記応答パケットの統計値は、ビット誤り率、パケット誤り率、信号対雑音比、受信信号強度インジケータ、および前記応答パケットの遅延時間のうちの少なくとも１つを含むことを特徴とする請求項２３に記載のシステム。
【請求項２５】
前記予め定められた基準は、サービス品質（ＱｏＳ）、リソース可用性、コスト、およびセキュリティのうちの少なくとも１つを含むことを特徴とする請求項１９に記載のシステム。
【請求項２６】
前記ＤＬＳ層は、前記予め定められた基準を使用してリンクを選択する結合された測定基準を生成することを特徴とする請求項２５に記載のシステム。
【請求項２７】
前記ＤＬＳ層がリンク信頼性が新しいパケットにとって重要であるか否かを判別し、
前記リンク信頼性が前記新しいパケットにとって重要でない場合に、前記ＤＬＳ層がリソース節約に基づいてリンクを選択し、
前記リンク信頼性が前記新しいパケットにとって重要である場合に、前記ＤＬＳ層がＱｏＳに基づいてリンクを選択することを特徴とする請求項２５に記載のシステム。
【請求項２８】
通信している複数の送受信装置（ＴＲＵ）間でリンクを選択する集積回路（ＩＣ）であって、少なくとも１つのリンクが複数のＴＲＵ間で確率されるＩＣであって、
前記ＩＣは、
複数の物理層および媒体アクセス制御（ＭＡＣ）層のセットであって、物理層およびＭＡＣ層のセットのそれぞれが、異なる通信プロトコルのもとでインターフェースをサポートするセットと、
他のＴＲＵが動的リンク選択（ＤＬＳ）機能を持つ複数のインターフェースを有するか否かを判別するように構成されたＤＬＳ層であって、他のＴＲＵが前記ＤＬＳ機能を持つ場合に、前記ＤＬＳ層が、選択されたリンクを介して他のＴＲＵに対してパケットを送信し、他のＴＲＵからのレポートおよび予め定められた基準に基づいて新しいパケットのためのリンクを選択するＤＬＳ層と
を備えたことを特徴とするＩＣ。
【請求項２９】
前記他のＴＲＵからのレポートは、リンク品質情報を含むことを特徴とする請求項２８に記載のＩＣ。
【請求項３０】
前記リンク品質情報は、ビット誤り率、パケット誤り率、信号対雑音比、受信信号強度インジケータ、および第１のＴＲＵによって送信されたパケットの遅延時間のうちの少なくとも１つを含むことを特徴とする請求項２９に記載のＩＣ。
【請求項３１】
前記ＴＲＵのＤＬＳ層は、前記レポートにおける他のＴＲＵによって送信される推奨されるリンクを受け入れることが可能なことを特徴とする請求項２８に記載のＩＣ。
【請求項３２】
他のＴＲＵが前記ＤＬＳ機能を持つ複数のインターフェースを有しない場合に、前記ＤＬＳ層は、利用可能なすべてのリンクを介して他のＴＲＵに対してプローブパケットを送信し、前記プローブパケットに応答して他のＴＲＵによって送信される応答パケットの統計値に基づいてリンク品質を評価することを特徴とする請求項２８に記載のＩＣ。
【請求項３３】
前記応答パケットの統計値は、ビット誤り率、パケット誤り率、信号対雑音比、受信信号強度インジケータ、および前記応答パケットの遅延時間のうちの少なくとも１つを含むことを特徴とする請求項３２に記載のＩＣ。
【請求項３４】
前記予め定められた基準は、サービス品質（ＱｏＳ）、リソース可用性、コスト、およびセキュリティのうちの少なくとも１つを含むことを特徴とする請求項２８に記載のＩＣ。
【請求項３５】
前記ＤＬＳ層は、前記予め定められた基準を使用してリンクを選択する結合された測定基準を生成することを特徴とする請求項３４に記載のＩＣ。
【請求項３６】
前記ＤＬＳ層がリンク信頼性が新しいパケットにとって重要であるか否かを判別し、
前記リンク信頼性が前記新しいパケットにとって重要でない場合に、前記ＤＬＳ層がリソース節約に基づいてリンクを選択し、
前記リンク信頼性が前記新しいパケットにとって重要である場合に、前記ＤＬＳ層がＱｏＳに基づいてリンクを選択することを特徴とする請求項３４に記載のＩＣ。
【発明の詳細な説明】
【技術分野】
【０００１】
本発明は、通信システムに関する。より詳細には、本発明は、複数の送受信装置（ＴＲＵ）間において動的リンク選択（ＤＬＳ：dynamic link selection）を実行する方法および装置に関する。
【背景技術】
【０００２】
現在、ほとんどのＴＲＵはネットワーク（例：インターネット）にアクセスするためのインターフェースを複数有しており、ＴＲＵはネットワークとのリンクを複数確立することができる。このインターフェースは有線（例：イーサネット（登録商標）、ファースト・イーサネット、ギガビット・イーサネットなど）である場合や、無線（ＷｉＦｉ（Wireless Fidelity）、ＩＥＥＥ８０２．１１ｂ、８０２．１１ａ、８０２．１１ｇ、８０２．１６、Ｂｌｕｅｔｏｏｔｈ（登録商標）リンク、セルラーリンクなど）である場合がある。ＴＲＵの中には同一の技術を使用する複数のインターフェースを含むことが可能なものもある。例えば、ラップトップコンピュータは内部にミニＰＣＩ、外部にＰＣＭＣＩＡ（Personal Computer Memory Card International Association）ＷｉＦｉ接続を有することが可能である。
【発明の開示】
【発明が解決しようとする課題】
【０００３】
動作中に、１つのＴＲＵは他のＴＲＵとの１つ以上のリンクを確立することができるが、そこでは、１つのリンクは他のリンクよりもスループット、遅延などに関してパフォーマンスが良い場合がある。そのような場合、より良いパフォーマンスのリンクに切り替えることが望ましいだろう。
【課題を解決するための手段】
【０００４】
本発明は、複数の送受信装置（ＴＲＵｓ）間において動的リンク選択（ＤＬＳ）を実行する方法および装置に関する。第１のＴＲＵは、第２のＴＲＵがＤＬＳ機能を持つ複数のインターフェースを有しているか否かを判定する。第２のＴＲＵがＤＬＳ機能を持つ複数のインターフェースを有している場合に、第１のＴＲＵは第２のＴＲＵに選択されたリンクを介してパケットを送信する。第１のＴＲＵは第２のＴＲＵからレポートを受信し、そのレポートに基づいて当該リンクの品質を評価する。第１のＴＲＵは、予め定められた基準および当該リンクの品質にしたがって新しいパケットのためのリンクを選択する。第２のＴＲＵがＤＬＳ機能を持つ複数のインターフェースを有していない場合に、第１のＴＲＵは利用可能な全てのリンクを介してプローブパケットを第２のＴＲＵを周期的に送信する。第２のＴＲＵは当該プローブパケットに応答して応答パケットを送信し、第１のＴＲＵはその応答パケットの統計値に基づいてリンクの品質を評価する。
【発明を実施するための最良の形態】
【０００５】
以後、「ＴＲＵ」という用語は、無線送受信装置（ＷＴＲＵ）、ユーザ装置、固定式または移動式のステーション、固定式または移動式の加入者設備、ページャ、ラップトップコンピュータ、個人用携帯情報端末（ＰＤＡ）、無線環境または有線環境またはその両方の環境において動作可能な他の種類の装置に限定されることはないが、それらを含む無線通信ユニットまたは有線通信ユニットを含む。以後、参照する場合に、「基地局」という用語は、ノードＢ、サイトコントローラ、アクセスポイント、または無線環境における他の種類のインターフェース装置に限定されることはないが、それらを含む。
【０００６】
本発明は、無線または有線通信システムに適用できる。例えば、本発明は、有線のローカルエリアネットワーク（ＬＡＮ）、無線ローカルエリアネットワーク（ＷＬＡＮ）、無線メトロポリタンエリアネットワーク（ＷＭＡＮ）、およびセルラーセットワークの間でのシームレスなモビリティのためのＩＥＥＥ８０２．２１システム（メディア非依存ハンドオーバー）に適用できる。
【０００７】
本発明の特徴は、集積回路（ＩＣ）に組み入れることが可能であり、多数の相互接続構成部品を備える回路に構成されることが可能である。
【０００８】
図１は、本発明に係る、ＤＬＳが実行されるＴＲＵ１０２およびネットワーク１０４の間の複数の接続（connection）の一例を示す。ＴＲＵ１０２は、複数のインターフェース１１２ａ−１１２ｃを含む。インターフェース１１２ａ−１１２ｃは、（イーサネット、ファースト・イーサネット、ギガビット・イーサネットまたは同様のもの）などの有線インターフェース１１２ａや（ＷｉＦｉ、ＩＥＥＥ８０２．１１ｂ、８０２．１１ａ、８０２．１１ｇ、８０２．１６、Ｂｌｕｅｔｏｏｔｈ、セルラーインターフェースまたは同様のもの）などの無線インターフェース１１２ｂ、１１２ｃとなる場合がある。ＴＲＵ１０２は、複数のリンク１１４ａ−１１４ｃ（すなわち、複数のデータ経路）を同時に確立することができる。図１の例において、ＴＲＵ１０２は、（ＩＰネットワークなどの）ネットワーク１０４に対して３つのデータ経路を確立する。すなわち、有線インターフェース１１２ａを使用してネットワーク１０４に対する有線リンク１１４ａ、無線インターフェース１１２ｂを使用して基地局１０６ａを介する無線リンク１１４ｂ、そして、無線インターフェース１１２ｃを使用して基地局１０６ｂを介する無線リンク１１４ｃを確立する。
【０００９】
本発明に従って、ＴＲＵ１０２は、ユーザにとってトランスペアレントなやり方でデータ送信用のリンクを動的に選択する（すなわち、ＤＬＳを実行する）。ＤＬＳの目的は、複数のリンクがＴＲＵ間で利用可能な場合にデータを送信するために最良のリンクを識別して利用することである。ＴＲＵ１０２は、それぞれのリンクを監視して、予め定められた基準にしたがって最良のパフォーマンスを有するリンクを動的に選択する。パフォーマンス評価のための基準は、リソース最適化、セキュリティ、サービス品質（ＱｏＳ）などを含むが、これらに限定されない。
【００１０】
図２は、第１のＴＲＵ２０２のみが本発明に係るＤＬＳを実装する間、ネットワーク２３０を介して通信している第１のＴＲＵ２０２および第２のＴＲＵ２０４を示す。ＤＬＳを実行することは第１のＴＲＵ２０２次第である。第２のＴＲＵ２０４は、ＤＬＳ機構を有していない場合があり、したがって、第１のＴＲＵ２０２のＤＬＳと直接情報を交換しない場合がある。
【００１１】
第１のＴＲＵ２０２は、ネットワーク層２１２、ＤＬＳ層２１４、複数の媒体アクセス制御（ＭＡＣ）層２１６ａ−２１６ｎ、および異なる通信プロトコルのもとで複数のインターフェースをサポートする対応する物理（ＰＨＹ）層２１８ａ−２１８ｎを備える。第２のＴＲＵ２０４は、ネットワーク層２２２、１つのＭＡＣ層２２４、および１つのＰＨＹ層２２６を備える。第１のＴＲＵ２０２がＤＬＳを実装する場合に、第１のＴＲＵ２０２は、ネットワーク２３０に接続するために利用可能な複数のリンクの中から最良のリンク（例えば、ＭＡＣ層２１６ａおよびＰＨＹ層２１８ａを介して、データリンク２３２）を選択し、当該選択されたリンク２３２を介して第２のＴＲＵ２０４にデータパケットを送信する。
【００１２】
第１のＴＲＵ２０２が最良のリンクを選択するために、プローブ機構が利用される。図３は、プローブパケットを送信するプローブ期間（probe periods）を示す。周期的なプローブ期間は、第１のＴＲＵ２０２のＤＬＳ層２１４が第２のＴＲＵ２０４に対してプローブパケットを、プローブ期間３０２ごとにすべての利用可能なリンク（すなわち、ＭＡＣ層２１６ａ−２１６ｎおよびＰＨＹ層２１８ａ−２１８ｎ）を介して周期的に送信するように定義される。第２のＴＲＵ２０４は、プローブパケットを受信して、第１のＴＲＵ２０２に対して応答パケットを送信する。第１のＴＲＵ２０２は、受信した応答パケットの統計値に基づいて第１のＴＲＵ２０２と第２のＴＲＵ２０４との間の最良のリンクを判別する。この統計値には、受信信号強度インジケータ（ＲＳＳＩ）、信号対雑音比（ＳＮＲ）、ビット誤り率（ＢＥＲ）、フレーム誤り率（ＦＥＲ）および応答パケットの遅延のうちの少なくとも一つを含むが、これらの例に限定されることはない。
【００１３】
図４は、第２のＴＲＵ４０４と通信する第１のＴＲＵ４０２を示す。ＴＲＵ４０２、４０４は、本発明に係るＤＬＳを実装する。図４において、第１のＴＲＵ４０２および第２のＴＲＵ４０４の両方はＤＬＳ機能を有し、ピアツーピア通信機構はＴＲＵ４０２、４０４の間に確立されることができる。第１のＴＲＵ４０２は、第２のＴＲＵ４０４からのフィードバックに基づいて最良のリンクを選択するが、この点について以後詳細に説明する。
【００１４】
第１のＴＲＵ４０２は、ネットワーク層４１２、ＤＬＳ層４１４、複数のＭＡＣ層４１６ａ−４１６ｎ、および対応するＰＨＹ層４１８ａ−４１８ｎを備える。第２のＴＲＵ４０４は、ネットワーク層４２２、ＤＬＳ層４２４、複数のＭＡＣ層４２６ａ−４２６ｎ、および対応するＰＨＹ層４２８ａ−４２８ｎを備える。第１のＴＲＵ４０２のＤＬＳ層４１４はインターフェース（例えば、ＭＡＣ層４１６ａおよびＰＨＹ層４１８ａ）を選択し、データ経路４３２を介してデータパケットを送信するが、このデータパケットは第２のＴＲＵ４０４のＰＨＹ層４２８ａおよびＭＡＣ層４２６ａにより受信される。選択されたリンク４３２上でのデータ送信の間、他のリンクの継続的なモニタリングは、第１のＴＲＵ４０２のＤＬＳ層４１４間でピアツーピア通信を介して生じる。現在選択されているリンク４３２よりも品質の良いリンクがあれば、第２のＴＲＵ４０４のＤＬＳ層４２４は第１のＴＲＵ４０２にリコメンデーション（recommendation）を送信する。例えば、第２のＴＲＵ４０４において、第２のＴＲＵ４０４が感知する、データ経路４３２上でのリンク品質がプアである場合、第２のＴＲＵ４０４のＤＬＳ層４２４はピアツーピア通信メッセージ４３４を第１のＴＲＵ４０２のＤＬＳ層４１４に送信し、ＭＡＣ層４１６ｎおよびＰＨＹ層４１８ｎが推奨されるインターフェースであることを知らせる。第１のＴＲＵ４０２のＤＬＳ層４１４はリコメンデーションを受け入れ、第２のＴＲＵ４０４からのフィードバックにしたがってインターフェースを推奨されるインターフェース（すなわち、ＭＡＣ層４１６ｎおよびＰＨＹ層４１８ｎ）に変更し、データ経路４３６を介して第２のＴＲＵ４０４にデータパケットを送信することができる。
【００１５】
第１のＴＲＵ４０２のＤＬＳ層４１４は、最良のリンクについての最終決定を行う。第１のＴＲＵ４０２のＤＬＳ層４１４は、第２のＴＲＵ４０４のリコメンデーションを受け入れることができず、代わりに、第１のＴＲＵ４０２側での優先度合（例えば、サービス品質（ＱｏＳ））に基づいて他のインターフェースおよびデータ経路を選択する。例えば、ＤＬＳ層４２４は、受信したパケットの良好なＣＲＣ結果に基づいてＭＡＣ層４１６ｎおよびＰＨＹ層４１８ｎを推奨することができるが、第１のＴＲＵ４０２がリンク４３６上で送信するために使用するデータ転送速度を考慮することはない。第１のＴＲＵ４０２が送信するのに必要なデータ転送速度がより高い場合（例えば、第１のＴＲＵ４０２が１２ｋｂｐｓの音声呼を送信する必要があり、リンク４３６が６ｋｂｐｓでのみ送信可能である場合）、第１のＴＲＵ４０２のＤＬＳ層４１４は、そのような送信時のデータ転送速度を可能にする他のリンク（例えば、ＭＡＣ層４１６ｂおよびＰＨＹ層４１８ｂ上のリンク）を新たなリンクとして選択することができる。
【００１６】
図５は、本発明に係るＤＬＳを実装するプロセス５００のフロー図である。ステップ５０２でのディスカバリー段階の間、第１のＴＲＵは、自らがいる環境についての情報および第１のＴＲＵの周囲にあるＴＲＵのタイプ（すなわち、第２のＴＲＵ）についての情報を収集する。この情報は、第２のＴＲＵがＤＬＳ層を持つ複数のインターフェースを有するかどうかの情報、第２のＴＲＵが有するインターフェースの種類（例えば、イーサネット、ＩＥＥＥ８０２、セルラー、Ｂｌｕｅｔｏｏｔｈなど）、および接続要件（すなわち、ＱｏＳ、リソース節約、セキュリティなどのうちどれがより重要であるか）を含む。
【００１７】
第２のＴＲＵのそれぞれについて、第１のＴＲＵは、第２のＴＲＵのそれぞれがＤＬＳ層を持つ複数のインターフェースを有しているか、またはＤＬＳ層なしでただ１つのインターフェースを有しているかどうかを確認する（ステップ５０４）。第２のＴＲＵがＤＬＳ層を持つ複数のインターフェースを有している場合、第１のＴＲＵはリンク上を第２のＴＲＵに対してデータパケットを送信することを開始し、第２のＴＲＵからのレポートを待つ（ステップ５０６）。第１のＴＲＵは、第２のＴＲＵからレポートを受け取る（ステップ５０８）。このレポートは、ＢＥＲ、ＰＥＲ、ＳＮＲなどの当該リンクのリンク品質についての情報を含む。第１のＴＲＵは、このレポートに基づいてリンク品質を確認する（ステップ５１０）。
【００１８】
第２のＴＲＵがＤＬＳ層を持たないでただ１つのインターフェースを有する場合に、第１のＴＲＵは、利用可能なすべてのリンクを介して第２のＴＲＵに対してプローブパケットを周期的に送信する（ステップ５１２）。第１のＴＲＵは、第２のＴＲＵからプローブ応答パケットを受け取る（ステップ５１４）。第１のＴＲＵのＤＬＳ層は、このプローブ応答パケットの統計値（例えば、ＢＥＲ、ＰＥＲ、ＳＮＲなど）に基づいてリンク品質を確認する（ステップ５１６）。
【００１９】
第１のＴＲＵは、予め定められた基準に基づいて第２のＴＲＵに対する新たなデータパケットのためのリンクを選択する（ステップ５１８）。予め定められた基準は、ＱｏＳ、リンク信頼性、リソース使用量、コスト、およびセキュリティのうちの少なくとも１つを含むが、これらに限定されるわけではない。第１のＴＲＵは、上述の基準のすべてまたは一部を考慮に入れる、決定のための測定基準（metric）を構築することができる。
【００２０】
例えば、第１のＴＲＵが、ＱｏＳまたはリンク信頼性が次のパケットにとってたいして重要ではないと決定する場合に、第１のＴＲＵは、リソース使用量に基づいてリンクを選択することが可能であり、最も少ないリソースを消費するリンクを選択する。一方、第１のＴＲＵが、ＱｏＳまたはリンク信頼性が次のパケットにとって非常に重要であると決定する場合に、第１のＴＲＵは、１つ以上のリンク上でパケットを送信することができ、そのパケットは最大限の信頼性を達成するために第２のＴＲＵにおいて結合される。
【００２１】
本発明の特徴および構成要素を好ましい実施形態において特定の組み合わせで説明したが、それぞれの特徴または構成要素をこの好ましい実施形態の他の特徴および構成要素なしで単独で使用することができ、または本発明の他の特徴および構成要素を使用してまたは使用しないでさまざまな組み合わせで使用することができる。
【図面の簡単な説明】
【００２２】
【図１】本発明に係るＤＬＳが実装されるＴＲＵおよびネットワーク間の複数の接続の一例を示す図である。
【図２】本発明に係る送信機がＤＬＳを実装する間の異種ネットワークにある第１のＴＲＵおよび第２のＴＲＵを示す図である。
【図３】本発明に係る周期的なプローブパケット伝送を示す図である。
【図４】本発明に係る異種ネットワークにおいてＤＬＳを実装する第１のＴＲＵおよび第２のＴＲＵを示す図である。
【図５】本発明に係るＤＬＳを実装するプロセスのフロー図である。
【図１】
2008535385.tif 000003
【図２】
2008535385.tif 000004
【図３】
2008535385.tif 000005
【図４】
2008535385.tif 000006
【図５】
2008535385.tif 000007
【国際調査報告】
2008535385.tif 000008